(57)【要約】  タッチパネルは、パネル部を有している。パネル部は、基体と、導体列と、第１の接続パッドと、第１の配線と、第２の配線と、を有する。第１の配線は、基体上で、第１の接続パッドから第２端に向かって延びる第１の線分を有し、第１の導体と第１の接続パッドとを電気的に接続している。第２の配線は、基体上で、第１の接続パッドから第１端に向かって延びる第２の線分と、基体の第１端に沿って延びる第３の線分と、を有し、第２の導体と第１の接続パッドとを電気的に接続している。
2017051507.tif 000002
【特許請求の範囲】
【請求項１】
第１端と、
前記第１端の反対側の第２端と、
を有する基体と、
前記基体上に配置された第１の導体と、
前記基体上で、前記第１の導体に対して第１の方向に配置された第２の導体と、
を有する導体列と、
前記基体上で、前記導体列と前記基体の前記第１端との間に配置された第１の接続パッドと、
前記基体上で、前記第１の接続パッドから前記第２端に向かって延びる第１の線分を有し、前記第１の導体と前記第１の接続パッドとを電気的に接続する第１の配線と、
前記基体上で、前記第１の接続パッドから前記第１端に向かって延びる第２の線分と、前記基体の前記第１端に沿って延びる第３の線分と、とを有し、前記第２の導体と前記第１の接続パッドとを電気的に接続する第２の配線と、
を有するパネル部
を備えた
タッチパネル。
【請求項２】
前記第２の配線は、前記第１端から前記第２端に向かって延びる第４の線分をさらに有する
請求項１に記載のタッチパネル。
【請求項３】
前記第１の接続パッドは複数の第１の接続パッドのうちの一つであり、前記複数の第１の接続パッドは、前記第１の方向に並んで配置されおり、
前記導体列は、複数の導体列のうちの一つであり、前記複数の導体列は、前記第１の方向と直交する第２の方向に並んで配置されている
請求項１に記載のタッチパネル。
【請求項４】
前記第１の方向は、前記基体の前記第１端と前記第２端を結ぶ最短距離に対して垂直な方向である
請求項１に記載のタッチパネル。
【請求項５】
前記第１の導体の、前記第２の導体と対向する面を前記第１の導体の第１面とし、前記第１面と反対側の面を前記第１の導体の第２面とした場合、
前記パネル部は、
前記第１の導体の前記第２面と対向する位置に配置された第１の線状導体と、
前記第１の線状導体と前記基体の前記第１端との間に配置された第２の接続パッドと、
前記第１の線状導体と前記第２の接続パッドとを電気的に接続する第３の配線と、
をさらに有する
請求項１に記載のタッチパネル。
【請求項６】
前記第２の導体の、前記第１の導体と対向する面を前記第２の導体の第１面とし、前記第１面と反対側の面を前記第２の導体の第２面とした場合、
前記パネル部は、
前記第２の導体の前記第２面と対向する位置に配置された第２の線状導体と、
前記第２の線状導体と前記基体の前記第１端との間に配置された第３の接続パッドと、
前記第２の線状導体と前記第３の接続パッドとを電気的に接続する第４の配線と、
をさらに有する
請求項５に記載のタッチパネル。
【請求項７】
基材と、
前記基材上に配置された第１の端子と、
前記基材上に配置され、前記第１の接続パッドと電気的に接続される第１の接続導体と、
前記基材上に配置され、前記第１の接続導体と前記第１の端子とを電気的に接続する第１の接続配線と、
を有する接続部
をさらに備えた、
請求項１に記載のタッチパネル。
【請求項８】
前記第１の導体の、前記第２の導体と対向する面を前記第１の導体の第１面とし、前記第１面と反対側の面を前記第１の導体の第２面とした場合、
前記パネル部は、
前記第１の導体の前記第２面と対向する位置に配置された第１の線状導体と、
前記第１の線状導体と前記基体の前記第１端との間に配置された第２の接続パッドと、
前記第１の線状導体と前記第２の接続パッドとを電気的に接続する第３の配線と、
をさらに有し、
前記接続部は、
前記基材上に配置された第２の端子と、
前記基材上に配置され、前記第２の接続パッドと電気的に接続される第２の接続導体と、
前記第２の接続導体と前記第２の端子とを電気的に接続する第２の接続配線と、
をさらに有する
請求項７に記載のタッチパネル。
【請求項９】
前記第２の導体の、前記第１の導体と対向する面を前記第２の導体の第１面とし、前記第１面と反対側の面を前記第２の導体の第２面とした場合、
前記パネル部は、
前記第２の導体の前記第２面と対向する位置に配置された第２の線状導体と、
前記第２の線状導体と前記基体の前記第１端との間に配置された第３の接続パッドと、
前記第２の線状導体と前記第３の接続パッドとを電気的に接続する第４の配線と、
をさらに有し、
前記接続部は、
前記基材上に配置された第３の端子と、
前記基材上に配置され、前記第３の接続パッドと電気的に接続される第３の接続導体と、
前記第３の接続導体と前記第３の端子とを電気的に接続する第３の接続配線と、
をさらに有する
請求項８に記載のタッチパネル。
【請求項１０】
第１端と、
前記第１端の反対側の第２端と、
を有する基体と、
前記基体上に配置された第１の導体と、
前記基体上で、前記第１の導体に対して第１の方向に配置された第２の導体と、
を有する導体列と、
前記基体上で、前記導体列と前記基体の前記第１端との間に配置された第１の接続パッドと、
前記基体上で、前記第１の接続パッドから前記第２端に向かって延びる第１の線分を有し、前記第１の導体と前記第１の接続パッドとを電気的に接続する第１の配線と、
前記基体上で、前記第１の接続パッドから前記基体の前記第１端に沿って延びる第５の線分と、前記第１端から前記第２端に向かって延びる第６の線分を有し、前記第２の導体と前記第１の接続パッドとを電気的に接続する第２の配線と、
を有するパネル部
を備えた
タッチパネル。
【請求項１１】
請求項１に記載のタッチパネルと、
液晶表示デバイスと、
を備えた、
表示装置。
【請求項１２】
前記液晶表示デバイスの表面層が、前記基体を兼ねている
請求項１１記載の表示装置。
【請求項１３】
前記液晶表示デバイスの薄膜トランジスタアレイ基板が、前記基体を兼ねている
請求項１１記載の表示装置。
【発明の詳細な説明】
【技術分野】
【０００１】
本開示は、各種の電子機器への入力のために用いられるタッチパネルと、これを用いた表示装置に関する。
【背景技術】
【０００２】
以下、従来のタッチパネルについて説明する。従来のタッチパネルは、パネル部と、接続部とを有している。パネル部は、導体群と、複数の第１の接続パッドと、複数の第１の配線と、線状導体と、第２の接続パッドと、第２の配線とを有している。そして、これらは、基体の一方の面上に設けられている。そして、複数の第１の接続パッドは、基体の一方の端部側に一列に並んで配置されている。導体群は、第１の方向に並んで配置された複数の導体と、第１の方向と直交する方向に並んで配置された複数の導体により構成されている。複数の導体は、複数の第１の配線を介して複数の第１の接続パッドと接続されている。線状導体は、複数の導体に沿って配置されている。線状導体は、第２の配線を介して第２の接続パッドと接続されている。第２の配線は、線状導体から、基体の一方の端部に向かって延びて配線されている。【０００３】
接続部は、第１の接続導体と、第２の接続導体と、入力端子と、出力端子とを有している。そして、これらは、基材上に形成されている。第１の接続導体は、第１の接続パッドと電気的に接続される。そして、入力端子は、第１の接続導体と電気的に接続されている。入力端子に送信信号が入力される。第２の接続導体は、第２の接続パッドと電気的に接続される。出力端子は、第２の接続導体と電気的に接続される。出力端子は線状導体が受信した受信信号を出力する。【０００４】
なお、この出願に関連する先行技術文献情報としては、例えば、特許文献１が知られている。
【先行技術文献】
【特許文献】
【０００５】
【特許文献１】特開２０１０−３９８１６号公報
【発明の概要】
【０００６】
タッチパネルは、パネル部を有している。パネル部は、基体と、導体列と、第１の接続パッドと、第１の配線と、第２の配線と、を有する。
【０００７】
基体は、第１端と、第１端の反対側の第２端と、を有する。
【０００８】
導体列は、基体上に配置された第１の導体と、基体上で、第１の導体に対して第１の方向（Ｘ方向）に配置された第２の導体と、を有する。
【０００９】
第１の接続パッドは、基体上で、導体列と基体の第１端との間に配置されている。
【００１０】
第１の配線は、基体上で、第１の接続パッドから第２端に向かって延びる第１の線分を有し、第１の導体と第１の接続パッドとを電気的に接続している。
【００１１】
第２の配線は、基体上で、第１の接続パッドから第１端に向かって延びる第２の線分と、基体の第１端に沿って延びる第３の線分と、を有し、第２の導体と第１の接続パッドとを電気的に接続している。
【００１２】
表示装置は、上記のタッチパネルと、液晶表示デバイスと、を備えている。
【図面の簡単な説明】
【００１３】
【図１】図１は、実施の形態における表示装置の断面図である。
【図２】図２は、実施の形態におけるタッチパネルの正面図である。
【図３】図３は、実施の形態におけるパネル部の正面図である。
【図４】図４は、実施の形態における接続部の正面図である。
【図５】図５は、実施の形態における他のパネル部の正面図である。
【図６】図６は、実施の形態におけるさらに他のパネル部の正面図である。
【発明を実施するための形態】
【００１４】
本実施の形態のタッチパネルの説明に先立ち、タッチパネルを用いた表示装置について説明する。表示装置は、タッチパネルと液晶表示デバイス（Ｌｉｑｕｉｄ  Ｃｒｙｓｔａｌ  Ｄｉｓｐｌａｙ  Ｄｅｖｉｃｅ：ＬＣＤＤ）を有している。そして、表示装置は、液晶表示デバイスの上方にタッチパネルを配置することにより構成されている。液晶表示デバイスとタッチパネルは、それぞれ個別のユニットで構成されている。これは、いわゆるアウトセル型の表示装置である。
【００１５】
近年、このような表示装置は、たとえばスマートホンやタブレット端末などの携帯型の情報端末に搭載されている。これらの携帯型の情報端末は、小型かつ軽量であること、すなわち携帯性が要求されている。したがって、表示装置に対しても、小さく、軽いことが要求されている。そのため、従来からのアウトセル型に加えて、オンセル型や、インセル型などを採用した表示装置が開発されている。
【００１６】
しかしながら従来のタッチパネルでは、導体のそれぞれに第１の接続パッドが接続されている。そのため、導体と同じ数の第１の接続パッドが必要となる。したがって、接続パッド群を配置するための領域が大きくなる。また、接続部において、第１の接続パッド群と接続される第１の接続導体の本数も多くなる。そのため、接続部のサイズも大きくなる。その結果、導体群や線状導体以外に大きな面積が必要となる。そのため、タッチパネルが大きくなってしまう。
【００１７】
以下本実施の形態におけるタッチパネルについて説明する。
【００１８】
（実施の形態１）
図１は、実施の形態における表示装置５０１の断面図である。図２は、実施の形態におけるタッチパネル５０３の正面図である。図３は、実施の形態におけるパネル部２１の正面図である。図４は、実施の形態における接続部２２の正面図である。
【００１９】
タッチパネル５０３は、パネル部２１を有している。パネル部２１は、基体３１と、導体列５２Ａと、接続パッド５３Ａ１２（第１の接続パッド）と、配線５５Ａ１（第１の配線）と、配線５６Ａ２（第２の配線）と、を有する。
【００２０】
基体３１は、第１端３１Ａと、第１端３１Ａの反対側の第２端３１Ｂと、を有する。
【００２１】
導体列５２Ａは、基体３１上に配置された導体６１Ａ１（第１の導体）と、基体３１上で、導体６１Ａ１に対して第１の方向（Ｘ方向）に配置された導体６１Ａ２（第２の導体）と、を有する。
【００２２】
接続パッド５３Ａ１２は、基体３１上で、導体列５２Ａと基体３１の第１端３１Ａとの間に配置されている。
【００２３】
配線５５Ａ１は、基体３１上で、接続パッド５３Ａ１２から第２端３１Ｂに向かって延びる線分９１（第１の線分）を有し、導体６１Ａ１と接続パッド５３Ａ１２とを電気的に接続している。
【００２４】
配線５６Ａ２は、基体３１上で、接続パッド５３Ａ１２から第１端３１Ａに向かって延びる線分９２（第２の線分）と、基体３１の第１端３１Ａに沿って延びる線分９３（第３の線分）と、を有し、導体６１Ａ２と接続パッド５３Ａ１２とを電気的に接続している。
【００２５】
配線５６Ａ２は、第１端３１Ａから第２端３１Ｂに向かって延びる線分９４（第４の線分）を有していてもよい。
【００２６】
ここで第１の方向（Ｘ方向）は、基体３１の第１端３１Ａと第２端３１Ｂを結ぶ最短距離に対して垂直な方向とした。
【００２７】
すなわち、第１の方向（Ｘ方向）を基体３１の短軸方向とし、第２の方向（Ｙ方向）をＸ方向に対して垂直な方向、すなわち基体３１の長軸方向とした。しかし、第１の方向（Ｘ方向）や第２の方向（Ｙ方向）は、この方向に限らない。
【００２８】
以下、タッチパネル５０３を用いたアウトセル型の表示装置５０１について詳細に説明する。表示装置５０１は、液晶表示デバイス５０２（Ｌｉｑｕｉｄ  Ｃｒｙｓｔａｌ  Ｄｉｓｐｌａｙ  Ｄｅｖｉｃｅ）と、タッチパネル５０３とを有している。アウトセル型の表示装置５０１の場合、タッチパネル５０３は、液晶表示デバイス５０２の発光面側に搭載されている。
【００２９】
タッチパネル５０３は、パネル部２１と、接続部２２とを有している。パネル部２１は、基体３１と、センサ導体５１と、複数の接続パッド５３とを有している。基体３１は、第１端３１Ａと、第１端３１Ａの反対側の第２端３１Ｂを有している。センサ導体５１は、基体３１の一面上に設けられている。センサ導体５１は、導体群５１Ａと、配線群５４とを有している。導体群５１Ａは、複数の導体６１から構成されている。配線群５４は、複数の配線５５と複数の配線５６とから構成されている。複数の導体６１と複数の接続パッド５３は、複数の配線５５と複数の配線５６により接続されている。
【００３０】
接続部２２は、基材７１と、複数の接続導体７２Ａ（第１の接続導体）と、複数の端子７３Ａ（第１の端子）とを有している。複数の接続導体７２Ａを総称して、接続導体列７２とする。複数の端子７３Ａを総称して、端子列７３とする。接続導体列７２と端子列７３は、基材に設けられている。複数の接続導体７２Ａと、複数の端子７３Ａとは接続配線８０（第１の接続配線）により接続されている。複数の端子７３Ａに、送信信号が入力される。なお、接続導体７２Ａは、接続パッド５３と対応する位置に配置される。そして、接続導体７２Ａは、接続パッド５３と電気的に接続される。なお、接続導体７２Ａと接続パッド５３とは、たとえば圧着などによって接続してもよい。
【００３１】
導体群５１Ａは、導体列５２Ａと、導体列５２Ｂと、導体列５２Ｃとを有している。たとえば、導体列５２Ａは、第１の方向（Ｘ軸方向）に並べて配置された、導体６１Ａ１と導体６１Ａ２とを有している。導体列５２Ｂは、第１の方向に並べて配置された、導体６１Ｂ１と導体６１Ｂ２とを有している。導体列５２Ｃは、第１の方向に並べて配置された、導体６１Ｃ１と導体６１Ｃ２とを有している。導体列５２Ｂは、導体列５２Ａに対して、第２の方向（Ｙ軸方向）に並べて配置されている。すなわち、導体列５２Ｂは、導体列５２Ａの第２端３１Ｂ側に配置されている。導体群５１Ａは、複数の導体６１を互いに直交したＸ軸方向とＹ軸方向に並べて配置することにより構成されている。
【００３２】
接続パッド５３は、導体列５２Ａと第１端３１Ａとの間に配置されている。また、接続パッド５３は、導体列５２Ａの中の２箇所の導体６１と電気的に接続されている。なお、接続パッド５３は、導体列５２Ａの中の２箇所の導体６１と接続された構成に限られず、導体列５２Ｂの中の２箇所の導体６１と接続されていてもよく、導体列５２Ｃの中の２箇所の導体６１と接続されていてもよい。
【００３３】
配線５５と配線５６は、接続パッド５３に接続されている。なお、配線５５は、例えば、導体列５２Ａの中のいずれか１箇所の導体６１（例えば導体６１Ａ１）と接続されている。一方、配線５６は、導体列５２Ａにおいて配線５５と接続されていない導体６１（例えば導体６１Ａ２）と接続されている。なお、配線５５は、導体列５２Ａの中のいずれか１箇所の導体６１と接続された構成に限られず、導体列５２Ｂの中のいずれか１箇所の導体６１（例えば導体６１Ｂ１）と接続されていてもよい。この場合、配線５６は、導体列５２Ｂにおいて配線５５と接続されていない導体６１（例えば導体６１Ｂ２）と接続される。さらに、配線５５は、導体列５２Ｃの中のいずれか１箇所の導体６１（例えば導体６１Ｃ１）と接続されていてもよい。この場合、配線５６は、導体列５２Ｃにおいて配線５５と接続されていない導体６１（例えば導体６１Ｃ２）と接続される。
【００３４】
以上の構成において、配線５５は、接続パッド５３から第２端３１Ｂに向かって延びている。一方、配線５６は、接続パッド５３から、第１端３１Ａに向かって延び、その後、第１端３１Ａに沿って延びている。すなわち、配線５６は、接続パッド５３から第１端３１Ａに向かって延びた端点から、第１端３１Ａに沿って配線されている。さらに、配線５６は、第１端３１Ａに沿って配線された端点から、第２端３１Ｂに向かって延びている。
【００３５】
以上のように、配線５５と配線５６は、接続パッド５３に対して、互いに反対の方向へ延びている。配線５６は、接続パッド５３と第１端３１Ａとの間を通過する。そのため、配線５６における任意の配線は、他の配線と交差しないようにできる。したがって、ひとつの接続パッド５３に対して、複数の導体６１を接続できる。その結果、接続パッド５３の個数を削減できる。そのため、接続パッド５３を配置する領域の面積を削減でき、パネル部２１を小さくできる。さらに、接続部２２における接続導体７２Ａの本数も削減できる。したがって、接続導体列７２を配線する領域の面積を削減できる。そのため、接続部２２を小さくできる。以上の構成により、タッチパネル５０３を小さくできる。
【００３６】
以下、タッチパネル５０３の構成について図１を参照しながらさらに詳しく説明する。基体３１は、光学的に透過性の高い材料を用いるのが好ましい。たとえば、基体３１として、ガラスが用いられる。なお、基体３１は、ガラスに限られず、樹脂であっても良い。その場合、基材は、たとえばポリエチレンテレフタレート（ＰＥＴ）や、ポリカーボネート（ＰＣ）などが用いられる。
【００３７】
パネル部２１は、さらにカバーレンズ２３を有していても良い（図１参照）。カバーレンズ２３は、光学的に透過性の高い材料を用いるのが好ましい。さらに、傷の発生を抑制するために、カバーレンズ２３は硬い材料であるのが好ましい。たとえば、カバーレンズ２３として、ガラスが用いられる。なお、カバーレンズ２３は、ガラスに限られず、樹脂であってもよい。
【００３８】
粘着層２４は、カバーレンズ２３と基体３１との間に設けられ、カバーレンズ２３と基体３１とを接合している（図１参照）。そして、基体３１は、センサ導体５１がカバーレンズ２３に向くように、カバーレンズ２３に貼り付けられる。なお、この場合、基体３１が、液晶表示デバイス５０２と対向するように配置される。
【００３９】
粘着層２４は、少なくとも接続パッド５３の上には形成しないようにするのが好ましい。この場合、図３に示す接続パッド５３は、粘着層２４から露出する。なお、粘着層２４は、接続部２２とカバーレンズ２３との間にも設けられていても良い。
【００４０】
カバーレンズ２３は、接続パッド５３を覆うように配置するのが好ましい。この構成により、接続部２２と接続パッド５３との間の接続箇所にかかる応力を低減できる。この場合、粘着層２４は、接続部２２とカバーレンズ２３との間にも設けることが好ましい。この構成により、接続部２２と接続パッド５３との間の接続箇所にかかる応力をさらに低減できる。なお、カバーレンズ２３は、接続パッド５３を覆う構成に限られず、接続パッド５３上に形成しない構成でもよい。
【００４１】
タッチパネル５０３は、表示領域（図示せず）と、加飾領域（図示せず）を有していてもよい。なお、加飾領域は、表示領域の外側に、表示領域を囲むように形成されている。また、加飾領域は、タッチパネル５０３の外周部に形成されている。すなわち、基体３１の外周縁部に加飾領域が形成されていてもよい。なお、加飾領域は、基体３１あるいはカバーレンズ２３の表面上に光学的に透過性の低い材料の層を形成することにより構成できる。
【００４２】
導体群５１Ａや配線群５４は、光学的に透過性の優れた材料によって構成するのが好ましい。さらに言えば、少なくとも表示領域内における導体群５１Ａや配線群５４を、光学的に透過性の優れた材料によって構成するのが好ましい。ただし、導体群５１Ａや配線群５４は、導電性を有していることが必要である。そこで、導体群５１Ａや配線群５４は、たとえばＩＴＯ（Ｉｎｄｉｕｍ  Ｔｈｉｎ  Ｏｘｉｄｅ）膜などによって構成できる。あるいは、導体群５１Ａや配線群５４は、ＩＴＯ膜によって形成した構成に限られず、金属メッシュによって構成しても構わない。この場合、金属メッシュは、たとえば銅や銅合金などの材料によって形成できる。
【００４３】
なお、配線群５４の全体を、光学的に透過性の優れた材料によって形成しなくてもよい。例えば、配線群５４の一部を導体群５１Ａに比べて光学的に透過性の低い材料によって、構成しても構わない。
【００４４】
一般的に、加飾領域は、基体３１上に形成された加飾層（図示せず）によって形成されている。加飾層の透過率は、基体３１の透過率に比べて小さい。一般的に、加飾層は黒色である。なお、加飾層は、基体３１において、センサ導体５１や、接続パッド５３が形成されている面の反対に形成されている。このような場合、加飾領域における配線群５４は、導体群５１Ａと比べて光学的に透過性の低い材料によって構成しても良い。さらに、接続パッド５３や接続パッド６３を、導体群５１Ａよりも光学的に透過性の低い材料によって構成しても良い。この場合、配線群５４や接続パッド５３に光学的に透過率の低い材料を用いても、操作者が、接続パッド５３や、加飾領域の配線群５４を視認することを抑制できる。したがって、加飾領域における配線群５４と、接続パッド５３および接続パッド６３は、銅や銅合金などの材料によって形成してもよい。
【００４５】
次に、導体群５１Ａと、接続パッド５３の一例について、図面を参照しながら説明する。図２に示すように、導体群５１Ａは、導体列５２Ａと、導体列５２Ｂと、導体列５２Ｃとを有している。導体列５２Ａは、たとえば導体６１Ａ１と、導体６１Ａ２によって構成されている。導体列５２Ｂは、たとえば導体６１Ｂ１と、導体６１Ｂ２によって構成されている。導体列５２Ｃは、たとえば導体６１Ｃ１と、導体６１Ｃ２によって構成されている。導体列５２Ａは、導体群５１Ａにおいて第１端３１Ａに最も近い位置に配置されている。導体列５２Ｃは、導体群５１Ａにおいて第２端３１Ｂに最も近い位置に配置されている。導体列５２Ｂは、導体群５１Ａにおいて導体列５２Ａと導体列５２Ｃとの間に配置されている。
【００４６】
この構成において、導体６１Ａ２は、導体６１Ａ１に対してＸ軸方向に並んで配置されている。導体６１Ｂ２は、導体６１Ｂ１に対してＸ軸方向に並んで配置されている。導体６１Ｃ２は、導体６１Ｃ１に対してＸ軸方向に並んで配置されている。導体６１Ｂ１は、導体６１Ａ１に対してＹ軸方向に並んで配置されている。導体６１Ｃ１は、導体６１Ｂ１に対してＹ軸方向に並んで配置されている。
【００４７】
なお、導体６１Ａ２は、導体６１Ａ１に隣接して配置されているが、この構成に限られず、導体６１Ａ１と導体６１Ａ２との間に他の導体６１が配置されていてもよい。また、導体６１Ｂ１は、導体６１Ｂ２に隣接して配置されているが、この構成に限られず、導体６１Ｂ１と導体６１Ｂ２との間に他の導体６１が配置されていてもよい。また、導体列５２Ｂは、導体列５２Ａと導体列５２Ｃとに隣接している。しかし、この構成に限られず、導体列５２Ｂと導体列５２Ａとの間や、導体列５２Ｂと導体列５２Ｃとの間に、他の導体列（図示せず）が配置されていてもよい。
【００４８】
接続パッド５３は、接続パッド５３Ａ１２と、接続パッド５３Ｂ１２と、接続パッド５３Ｃ１２とを有している（図３参照）。接続パッド５３Ａ１２は、導体６１Ａ１および導体６１Ａ２と接続されている。接続パッド５３Ｂ１２は、導体６１Ｂ１および導体６１Ｂ２と接続されている。接続パッド５３Ｃ１２は、導体６１Ｃ１および導体６１Ｃ２と接続されている。また、配線５５は、配線５５Ａ１と、配線５５Ｂ１と、配線５５Ｃ１２とを有している。配線５６は、配線５６Ａ２と、配線５６Ｂ２とを有している。
【００４９】
配線５５Ａ１は、導体６１Ａ１と接続パッド５３Ａ１２とを接続している。配線５５Ｂ１は、導体６１Ｂ１と接続パッド５３Ｂ１２とを接続している。一方、配線５６Ａ２は、導体６１Ａ２と接続パッド５３Ａ１２とを接続している。配線５６Ｂ２は、導体６１Ｂ２と、接続パッド５３Ｂ１２とを接続している。そして、配線５５Ｃ１２は、導体６１Ｃ１と導体６１Ｃ２、および接続パッド５３Ｃ１２に接続されている。
【００５０】
以上の構成において、配線５５Ａ１と、配線５５Ｂ１と、配線５５Ｃ１２とは、接続パッド５３から第２端３１Ｂに向かって配線されている。配線５６Ａ２と配線５６Ｂ２は、接続パッド５３から第１端３１Ａに向かって延びている。そして、配線５６Ａ２と配線５６Ｂ２は、接続パッド５３から第１端３１Ａに向かって延びた端部から、第１端３１Ａに沿うように延びて配線されている。さらに、配線５６Ａ２と配線５６Ｂ２は、第１端３１Ａに沿って配線された端部から、第２端３１Ｂに向かって配線されている。
【００５１】
なお、接続パッド５３だけが、接続導体７２Ａと電気的に接続された構成に限られず、接続パッド５３近傍において、配線５６の端部と接続導体７２Ａとが電気的に接続されていても良い。また、配線５６は、接続パッド５３から第１端３１Ａに向かって延びた端部から、第１端３１Ａに沿って配線された構成であるとした。しかし、配線５６は、この構成に限られない。たとえば、配線５６は、接続パッド５３の端部から第１端３１Ａに沿って配線されていても良い。この場合、接続パッド５３Ａ１２は、接続パッド５３Ｂ１２よりも長くするのが好ましい。また、接続パッド５３Ａ１２の第１端３１Ａ側の端部は、接続パッド５３Ｂ１２の第１端３１Ａ側の端部よりも、第１端３１Ａに近い位置に配置してもよい。
【００５２】
すなわち、パネル部２１は、接続パッド５３Ａ１２から基体３１の第１端３１Ａに沿って延びる線分（第５の線分）と、第１端３１Ａから第２端３１Ｂに向かって延びる線分（第６の線分）を有し、導体６１Ａ２と接続パッド５３Ａ１２とを電気的に接続する第２の配線５６Ａ２とを有する構成でもよい。
【００５３】
センサ導体５１は、線状導体６２と、接続パッド６３と、配線６４とを有していても良い。線状導体６２は、第１端３１Ａから第２端３１Ｂに向かって直線状に形成するのが好ましい。この場合、線状導体６２は、Ｙ軸方向に配線される。また、線状導体６２は、線状導体６２Ａと、線状導体６２Ｂを有するのが好ましい。また、配線６４は、配線６４Ａと配線６４Ｂとを有する。そして、接続パッド６３は、接続パッド６３Ａと、接続パッド６３Ｂとを有する。配線６４Ａは、線状導体６２Ａと接続パッド６３Ａとを電気的に接続している。配線６４Ｂは、線状導体６２Ｂと接続パッド６３Ｂとを電気的に接続している。この場合、線状導体６２Ａは、導体６１Ａ１と、導体６１Ｂ１と、導体６１Ｃ１のそれぞれの一端に沿って配置されている。一方、線状導体６２Ｂは、導体６１Ａ２と、導体６１Ｂ２と、導体６１Ｃ２のそれぞれの一端に沿って配置されている。
【００５４】
すなわち、導体６１Ａ１（第１の導体）の、導体６１Ａ２（第２の導体）と対向する面を導体６１Ａ１の第１面１０１とし、第１面１０１と反対側の面を導体６１Ａ１の第２面１０２とした場合、パネル部２１は以下のように構成されている。パネル部２１は、導体６１Ａ１の第２面１０２と対向する位置に配置された線状導体６２Ａ（第１の線状導体）と、線状導体６２Ａと基体３１の第１端３１Ａとの間に配置された接続パッド６３Ａ（第２の接続パッド）と、線状導体６２Ａと接続パッド６３Ａとを電気的に接続する配線６４Ａ（第３の配線）と、を有する。
【００５５】
また、導体６１Ａ２（第２の導体）の、導体６１Ａ１（第１の導体）と対向する面を導体６１Ａ２の第１面２０１とし、第１面２０１と反対側の面を導体６１Ａ２の第２面２０２とした場合、パネル部２１は以下のように構成されている。パネル部２１は、導体６１Ａ２の第２面２０２と対向する位置に配置された線状導体６２Ｂ（第２の線状導体）と、線状導体６２Ｂと基体３１の第１端３１Ａとの間に配置された接続パッド６３Ｂ（第３の接続パッド）と、線状導体６２Ｂと接続パッド６３Ｂとを電気的に接続する配線６４Ｂ（第４の配線）と、を有する。
【００５６】
接続部２２は、基材７１上に、接続導体７４Ａ（第２の接続導体）と、端子７５Ａ（第２の端子）とをさらに有する。端子７５Ａと接続導体７４Ａとは、接続配線８２Ａ（第２の接続配線）により電気的に接続されている。接続導体７４Ａは、接続パッド６３Ａと電気的に接続されている。なお、接続導体７４Ａは、たとえば圧着によって接続パッド６３Ａと接続できる。
【００５７】
また、接続部２２は、基材７１上に、接続導体７４Ｂ（第３の接続導体）と、端子７５Ｂ（第３の端子）とをさらに有する。端子７５Ｂと接続導体７４Ｂとは、接続配線８２Ｂ（第３の接続配線）により電気的に接続されている。接続導体７４Ｂは、接続パッド６３Ｂと電気的に接続されている。なお、接続導体７４Ｂは、たとえば圧着によって接続パッド６３Ｂと接続できる。
【００５８】
ここで、接続導体７４Ａと接続導体７４Ｂとを総称して接続導体７４とする。また、端子７５Ａと端子７５Ｂとを総称して端子７５とする。さらに、接続配線８２Ａと接続配線８２Ｂを総称して接続配線８２とする。なお、配線５６の幅は、接続導体７４の幅よりも細いことが好ましい。さらに、配線５５の幅は、接続導体７４の幅よりも細いことが好ましい。接続導体７４はスクリーン印刷法や、フォトレジストを用いたエッチング法、あるいはアディヴ法などによって形成できる。
【００５９】
ただし、接続導体７４の形成方法は、上記の方法に限られない。導体６１や線状導体６２やグランド導体６５（図５参照）を金属メッシュによって構成する場合、目視で認識できない程度に、それらの導体幅を細く成形する必要がある。この場合、たとえばナノインプリント法などにより、導体６１や線状導体６２やグランド導体６５を微細な幅に成形できる。ここで、配線５５や配線５６は、導体６１や、線状導体６２や、グランド導体６５と同じ方法で形成することが好ましい。この構成により、配線５５や配線５６の幅も細くできる。
【００６０】
送信信号が端子列７３へ入力される。導体６１は、端子列７３から入力された送信信号を、線状導体６２に送信する。そして、線状導体６２が受信した信号は、端子７５から外部へと出力される。なお、線状導体６２は、導体６１から送信された信号を受信する構成に限られず、端子７５から入力された送信信号を導体６１へ送信する構成でも良い。この場合、導体６１は、線状導体６２から送信された信号を受信する。そして、導体６１は、受信した信号を端子列７３へと出力する。この場合、送信信号は端子７５へ入力される。そして、端子列７３は、導体６１で受信した受信信号を出力する。
【００６１】
パネル部２１は、図１に示すように、カバーレンズ２３や粘着層２４を有する構成に限られず、カバーレンズ２３が基体３１を兼ねる構成であっても良い。すなわち、図１において、パネル部２１がカバーレンズ２３を有しない構成でもよい。なおこの場合、センサ導体５１は、液晶表示デバイス５０２と対向して配置される。また、タッチパネル５０３は、アウトセル型に限られず、オンセル型であっても良い。この場合、液晶表示デバイス５０２の表面層が基体３１を兼ねている。また、タッチパネル５０３は、アウトセル型に限られず、インセル型であっても良い。この場合、液晶表示デバイス５０２の薄膜トランジスタ（Ｔｈｉｎ  Ｆｉｌｍ  Ｔｒａｎｓｉｓｔｏｒ：ＴＦＴ）アレイ基板が基体３１を兼ねていてもよい。
【００６２】
図５は、実施の形態における他のパネル部１２１の正面図である。パネル部１２１は、導体６１Ａ３と、導体６１Ａ４と、導体６１Ｂ３と、導体６１Ｂ４と、導体６１Ｃ３と、導体６１Ｃ４とを有している点がパネル部２１と異なる。すなわち、パネル部１２１における導体列５２Ａは、導体６１Ａ１と、導体６１Ａ２と、導体６１Ａ３と、導体６１Ａ４とを有している。また、パネル部１２１における導体列５２Ｂは、導体６１Ｂ１と、導体６１Ｂ２と、導体６１Ｂ３と、導体６１Ｂ４とを有している。パネル部１２１における導体列５２Ｃは、導体６１Ｃ１と、導体６１Ｃ２と、導体６１Ｃ３と、導体６１Ｃ４とを有している。そのため、パネル部１２１の接続パッド５３は、接続パッド５３Ａ３４と、接続パッド５３Ｂ３４とをさらに有している点がパネル部２１と異なる。また、パネル部１２１の配線５５は、配線５５Ａ３と、配線５５Ｂ３とを有している点がパネル部２１と異なる。さらに、パネル部１２１の配線５６は、配線５６Ａ４と、配線５６Ｂ４とを有している点がパネル部２１と異なる。すなわち、パネル部１２１における導体列５２Ａと、導体列５２Ｂと、導体列５２Ｃのそれぞれは、４個の導体６１を有している。なお、導体列は４つの導体６１を有する構成に限られず、５個以上の導体により構成されていても良い。さらに、導体６１Ａ１と、導体６１Ｂ１と、導体６１Ｃ１とを一つの縦列とすると、パネル部１２１は、Ｙ軸方向に４つの導体の縦列を有しているが、これに限られず導体の列の数は、５以上であってもよい。
【００６３】
図５において、導体６１Ａ３と導体６１Ａ４とは、導体６１Ａ１と導体６１Ａ２との間に配置されている。また、導体６１Ｂ３と導体６１Ｂ４とは、導体６１Ｂ１と導体６１Ｂ２との間に配置されている。さらに、導体６１Ｃ３と導体６１Ｃ４とは、導体６１Ｃ１と導体６１Ｃ２との間に配置されている。すなわち、導体６１Ａ３と、導体６１Ａ４と、導体６１Ａ１と、導体６１Ａ２とは、Ｘ軸方向に一直線に並んで配置されている。また、導体６１Ｂ３と、導体６１Ｂ４と、導体６１Ｂ１と、導体６１Ｂ２とは、Ｘ軸方向に一直線に並んで配置されている。さらに、導体６１Ｃ３と、導体６１Ｃ４と、導体６１Ｃ１と、導体６１Ｃ２とは、Ｘ軸方向に一直線に並んで配置されている。また、導体６１Ａ３と、導体６１Ｂ３と、導体６１Ｃ３とは、Ｙ軸方向に一直線に並んで配置されている。導体６１Ａ４と、導体６１Ｂ４と、導体６１Ｃ４とは、Ｙ軸方向に一直線に並んで配置されている。
【００６４】
この場合、接続パッド５３Ａ３４は、導体６１Ａ３と導体６１Ａ４と電気的に接続されるのが好ましい。また、接続パッド５３Ｂ３４は、導体６１Ｂ３と導体６１Ｂ４と電気的に接続されるのが好ましい。なお、パネル部１２１は、パネル部２１の接続パッド５３Ｃ１２に代えて接続パッド５３Ｃ１２３４を有している。接続パッド５３Ｃ１２３４は、導体６１Ｃ１と、導体６１Ｃ２と、導体６１Ｃ３と、導体６１Ｃ４とに接続されている。そのために、パネル部１２１は、パネル部２１の配線５５Ｃ１２に代えて、配線５５Ｃ１３を有している。配線５５Ｃ１３は、導体６１Ｃ１および導体６１Ｃ３と、接続パッド５３Ｃ１２３４とを接続している。そして、パネル部１２１は、さらに配線５６Ｃ２４を有している点がパネル部２１と異なる。配線５６Ｃ２４は、導体６１Ｃ２および導体６１Ｃ４と、接続パッド５３Ｃ１２３４とを接続している。
【００６５】
パネル部１２１は、さらに線状導体６２Ｃと、線状導体６２Ｄとを有することが好ましい。この場合、線状導体６２Ｃは、導体６１Ａ３と、導体６１Ｂ３と、導体６１Ｃ３のそれぞれの一端に沿って配置されている。一方、線状導体６２Ｄは、導体６１Ａ４と、導体６１Ｂ４と、導体６１Ｃ４のそれぞれの一端に沿って配置されている。なお、線状導体６２Ａと線状導体６２Ｂは、第１端３１Ａから第２端３１Ｂに向かう方向に直線的に配置されている。すなわち、線状導体６２Ａと線状導体６２Ｂは、Ｙ軸方向に配線されている。また、配線６４は、配線６４Ｃと配線６４Ｄを有している。線状導体６２Ｃは、配線６４Ｃを介して接続パッド６３Ｃと接続されている。線状導体６２Ｄは、配線６４Ｄを介して接続パッド６３Ｄと接続されている。接続パッド６３Ｃと接続パッド６３Ｄは、接続パッド５３Ａ３４と、接続パッド６３Ｂとの間に配置されている。そして、配線５６は、接続パッド６３Ｄと接続パッド６３Ｂとの間を通過している。また、配線５６は、接続パッド６３Ｄ、６３Ｃと第１端３１Ａとの間を通過している。
【００６６】
さらに、線状導体６２Ｃと線状導体６２Ｄとの間に、グランド導体６５を設けることが好ましい。この場合、グランド導体６５は、グランド配線６７を介して、接続パッド６６Ａと接続されている。すなわち、グランド配線６７は、グランド導体６５から第１端３１Ａの方向へ向かって配線されている。グランド配線６７は、配線６４Ｃと配線６４Ｄとの間を通って配線されている。そして、接続パッド６６Ａは、接続パッド６３Ｃと接続パッド６３Ｄとの間に配置されている。また、配線５６は、接続パッド６６Ａと第１端３１Ａとの間を通過している。なお、グランド配線６７は、グランド導体６５から第１端３１Ａの方向へ向かって配線した構成に限らない。例えば、接続パッド６６Ａを第２端３１Ｂの近傍に配置して、グランド配線６７をグランド導体６５から第２端３１Ｂの方向へ向かって配線し、グランド導体６５と接続パッド６６Ａとを接続しても良い。
【００６７】
さらに接続パッド５３と、接続パッド６３Ｃとの間に接続パッド６６Ｂが形成されているのが好ましい。さらに、接続パッド６３Ｄと配線５６との間に接続パッド６６Ｃが形成すされているのが好ましい。接続パッド６６Ｂや接続パッド６６Ｃは、グランド導体６５やグランド配線６７と接続されていなくても良い。
【００６８】
図６は、実施の形態におけるさらに他のパネル部２２１の正面図である。パネル部２２１は、パネル部１２１に対して、配線６４の形状が異なっている。配線６４Ｂと、配線６４Ｃと、配線６４Ｄは、導体列５２Ｃと第２端３１Ｂとの間を通って、接続パッド６３に接続されている。この場合、接続パッド６３は、接続パッド５３よりも基体３１の角に近い箇所に配置されている。また、接続パッド６３Ａは、接続パッド５３と並んで配置されているのが好ましい。この場合、接続パッド６３Ａは、接続パッド５３に対してＸ軸方向に並んで配置されている。そして、接続パッド６３は、基体３１の角から、接続パッド６３Ｂ、６３Ｄ、６３Ｃ、６３Ａの順で配置されている。
【００６９】
パネル部２２１の接続パッド６６Ｄは、接続パッド６３Ａと、接続パッド５３Ａ１２との間に設けられている。接続パッド６６Ｅは、接続パッド５３Ａ３４と配線５６Ａ４との間に設けられている。この構成により、パネル部２２１はパネル部１２１における接続パッド６６を配置しなくてよくなる。そのため、パネル部２２１はパネル部１２１よりも小さくできる。
【００７０】
配線６４は、導体６１Ａ１と、導体６１Ｂ１と、導体６１Ｃ１の列に沿って配線されている。すなわち、配線６４は、線状導体６２Ａと基体３１の外周端部との間を通過している。なお、配線６４は、線状導体６２Ａと基体３１の外周端部との間を通過する構成に限られない。たとえば、配線６４は、導体６１Ａ２と、導体６１Ｂ２と、導体６１Ｃ２の列に沿って配線しても良い。この場合、配線６４は、線状導体６２Ｂと基体３１の外周端部との間を通過する。あるいは、配線６４は、線状導体６２Ａと基体３１の外周端部との間と、線状導体６２Ｂと基体３１の外周端部との間との双方を通過するように、分けて配線しても良い。
【００７１】
以上のように本開示によれば、第１の配線と第２の配線は、第１の接続パッドから反対の方向へ延びて設けられている。すなわち、第１の配線は、第１の接続パッドから第１の導体に向かうように配線されている。一方、第２の配線は、第１の接続パッドから基体の第１端に向かって延び、その端部から第１端に沿って延び、さらにその端部から第２の導体に向かって延びている。ひとつの第１パッドが複数の導体に接続されているので、第１の接続パッドの個数を削減できる。その結果、第１の接続パッドを配置する領域の面積を削減できる。そのため、パネル部を小さくできる。さらに、接続部における接続導体の本数も削減できる。したがって、接続導体を配線する領域の面積を削減できる。そのため、接続部を小さくできる。以上の構成により、タッチパネルを小さくできる。
【産業上の利用可能性】
【００７２】
本開示のタッチパネルは、小さくできるという効果を有し、各種の電子機器に用いられる入力装置等に対して有用である。
【符号の説明】
【００７３】
２１  パネル部
２２  接続部
２３  カバーレンズ
２４  粘着層
３１  基体
３１Ａ  第１端
３１Ｂ  第２端
５１  センサ導体
５１Ａ  導体群
５２Ａ  導体列
５２Ｂ  導体列
５２Ｃ  導体列
５３  接続パッド
５３Ａ１２，５３Ａ３４  接続パッド
５３Ｂ１２，５３Ｂ３４  接続パッド
５３Ｃ１２，５３Ｃ１２３４  接続パッド
５４  配線群
５５  配線
５５Ａ１，５５Ａ３  配線
５５Ｂ１，５５Ｂ３  配線
５５Ｃ１２，５５Ｃ１３  配線
５６  配線
５６Ａ２，５６Ａ４  配線
５６Ｂ２，５６Ｂ４  配線
５６Ｃ２４  配線
６１  導体
６１Ａ１，６１Ａ２，６１Ａ３，６１Ａ４  導体
６１Ｂ１，６１Ｂ２，６１Ｂ３，６１Ｂ４  導体
６１Ｃ１，６１Ｃ２，６１Ｃ３，６１Ｃ４  導体
６２  線状導体
６２Ａ  線状導体
６２Ｂ  線状導体
６２Ｃ  線状導体
６２Ｄ  線状導体
６３  接続パッド
６３Ａ  接続パッド
６３Ｂ  接続パッド
６３Ｃ  接続パッド
６３Ｄ  接続パッド
６４  配線
６４Ａ  配線
６４Ｂ  配線
６４Ｃ  配線
６４Ｄ  配線
６５  グランド導体
６６  接続パッド
６６Ａ  接続パッド
６６Ｂ  接続パッド
６６Ｃ  接続パッド
６６Ｄ  接続パッド
６６Ｅ  接続パッド
６７  グランド配線
７１  基材
７２  接続導体列
７２Ａ  接続導体
７３  端子列
７３Ａ  端子
７４，７４Ａ，７４Ｂ  接続導体
７５，７５Ａ，７５Ｂ  端子
８０  接続配線
８２，８２Ａ，８２Ｂ  接続配線
９１  線分（第１の線分）
９２  線分（第２の線分）
９３  線分（第３の線分）
９４  線分（第４の線分）
１０１  第１面
１０２  第２面
２０１  第１面
２０２  第２面
１２１  パネル部
２２１  パネル部
５０１  表示装置
５０２  液晶表示デバイス（ＬＣＤＤ）
５０３  タッチパネル
【図１】
2017051507.tif 000003
【図２】
2017051507.tif 000004
【図３】
2017051507.tif 000005
【図４】
2017051507.tif 000006
【図５】
2017051507.tif 000007
【図６】
2017051507.tif 000008
【手続補正書】
【提出日】平成29年12月11日(2017.12.11)
【手続補正１】
【補正対象書類名】明細書
【補正対象項目名】００５８
【補正方法】変更
【補正の内容】
【００５８】
ここで、接続導体７４Ａと接続導体７４Ｂとを総称して接続導体７４とする。また、端子７５Ａと端子７５Ｂとを総称して端子７５とする。さらに、接続配線８２Ａと接続配線８２Ｂを総称して接続配線８２とする。なお、配線５６の幅は、接続導体７４の幅よりも細いことが好ましい。さらに、配線５５の幅は、接続導体７４の幅よりも細いことが好ましい。接続導体７４はスクリーン印刷法や、フォトレジストを用いたエッチング法、あるいはアディティブ法などによって形成できる。
【国際調査報告】
2017051507.tif 000009
2017051507.tif 000010
2017051507.tif 000011
2017051507.tif 000012